(57)【要約】【課題】  光ディスクを固定しているクランプ部から光ディスクが離脱する際に発生する離脱音を防止することができる光ディスク装置を提供する。【解決手段】  弧を描きながら可動されるターンテーブル３のクランプ部４に光ディスク２を水平に固定する。光ディスク２の載置されるトレイ１０の載置面１０Ａを傾斜させて形成する。これにより、光ディスク２がトレイ１０に押圧され弧を描きながら可動されクランプ部４から離脱される際、トレイ１０の載置面１０Ａに当接した状態を維持しながらクランプ部４から取り外せるようにトレイ１０の載置面１０Ａを傾斜して形成されているので、トレイ１０から光ディスク２が浮き上がってしまい、光ディスク２の自重によりトレイ１０上に光ディスク２が落下する事で音が発生してしまうことを防止できる。【選択図】  図１
2006040425.tif 000002
【特許請求の範囲】
【請求項１】
光ディスクを水平に載置する当接面の設けられたターンテーブルと、このターンテーブルに載置された光ディスクを固定するクランプ部と、このクランプ部に固定された前記光ディスクを前記ターンテーブルと共に回転させる回転駆動装置と、前記クランプ部に前記光ディスクを着脱する際に前記光ディスクを載置するトレイと、このトレイに載置された前記光ディスクを前記トレイに押圧させクランプ部から離脱する弧を描きながら可動する可動部材とを備えた光ディスク装置において、前記クランプ部から前記光ディスクを離脱する際、前記光ディスクを前記トレイの載置面に当接させた状態で前記光ディスクを前記クランプ部から離脱できるように前記光ディスクの載置される前記トレイの載置面を傾斜させて形成したことを特徴とする光ディスク装置。
【請求項２】
前記クランプ部に水平に固定された光ディスクに対し前記トレイの載置面を０．２°以上〜３°以下に傾斜させて形成したことを特徴とする請求項１記載の光ディスク装置。
【発明の詳細な説明】
【技術分野】
【０００１】
本発明は、記録媒体たる光ディスクの再生などを行う光ディスク装置に関し、詳しくは、光ディスクの載置されるトレイの載置面を斜めに形成し、光ディスクを固定しているクランプ部から光ディスクが離脱された際に発生する光ディスクの離脱音などを防止する光ディスク装置に関する。
【背景技術】
【０００２】
従来、ＤＶＤ（Ｄｉｇｉｔａｌ  Ｖｅｒｓａｔｉｌｅ  Ｄｉｓｋ）又はＣＤ（Ｃｏｍｐａｃｔ  Ｄｉｓｃ）等の光ディスクに記録されている映像又は音声を再生する光ディスク装置などの電子機器には、一般的にトレイ上に光ディスクを載置させ、この載置された光ディスクをトレイの上方に移動させ、光ディスク中央に形成された孔部をターンテーブルに設けられたクランパーに係合した後、ターンテーブルに固定された光ディスクをモータにより回転させた状態で、光ディスクの半径方向にピックアップを移動させることにより、光ディスクによる映像又は音声などの再生などを行っている。このような光ディスク装置においては、再生や記録などの終了後に光ディスク装置から光ディスクを取り出す際、図７の（ａ）に示す光ディスク１００の再生可能な回転可能状態から、クランプ部１０１に固定されている光ディスク１００を離脱させるために、光ディスク１００を下方に移動させトレイ１０２上に光ディスク１００の周縁の一端Ａを接触させた状態から（図７の（ｂ））、光ディスク１００をトレイ１０２にさらに押圧させ、クランプ部１０１から光ディスク１００を離脱させる（図７の（ｃ））。このような光ディスク装置１０３は、一般的に光ディスク１００を載置するトレイ１０２の載置面１０４が水平に形成されていることから、このトレイ１０２に光ディスク１００の一端Ａを押圧することにより、光ディスク１００の取付孔１０５が係合されているターンテーブル１０６のクランプ部１０１から光ディスク１００を取り外すもので、この場合、図７の（ｃ）に示すように、通常、固定されている光ディスク１００を図示しないトラバースに構成される可動装置により、ターンテーブル１０６と共に下方に弧を描くように可動させて、クランプ部１０１から光ディスク１００の取り外しを行う。また、電子機器に組み込まれる光ディスク装置として、特許文献１には、スロットイン機構の光ディスク装置のターンテーブルに光ディスクを確実にクランプさせる光ディスク装置が開示されている。
【０００３】
【特許文献１】特開２００３−４５１０４号公報
【発明の開示】
【発明が解決しようとする課題】
【０００４】
上記背景技術においては、光ディスクの再生可能な回転可能状態において、ターンテーブルから光ディスクを離脱させる際に、ターンテーブルが弧を描きながら下降していく為、光ディスク周縁の一端がトレイに接触された時に、その直径方向のもう一方の他端がトレイの載置面から浮き上がって隙間が空いてしまい、この状態から更にターンテーブルが弧を描きながら下降することで、光ディスクがターンテーブルのクランプ部から離脱され、光ディスクの自重によって、この光ディスクの他端がトレイの載置面に落下されるので、
その後に、光ディスクの浮き上がっていた他端のトレイへの落下時の反動により反対側の一端、及び他端が、トレイの載置面から浮き上がり及び落下が繰り返し行われ、光ディスクの暴れとなり、光ディスクの暴れによって発生する光ディスクとトレイ載置面との衝突音が、機器の品位を低下させてしまうものであった。
【０００５】
本発明は上記課題を解決するものであり、光ディスクを固定しているクランプ部から光ディスクが離脱された際に発生する光ディスクの落下や暴れによる音などの離脱音の発生を防止する光ディスク装置を提供することを目的とする。
【課題を解決するための手段】
【０００６】
請求項１に係る光ディスク装置は、光ディスクを水平に載置する当接面の設けられたターンテーブルと、このターンテーブルに載置された光ディスクを固定するクランプ部と、このクランプ部に固定された前記光ディスクを前記ターンテーブルと共に回転させる回転駆動装置と、前記クランプ部に前記光ディスクを着脱する際に前記光ディスクを載置するトレイと、このトレイに載置された前記光ディスクを前記トレイに押圧させクランプ部から離脱する弧を描きながら可動する可動部材とを備えた光ディスク装置において、前記クランプ部から前記光ディスクを離脱する際、前記光ディスクを前記トレイの載置面に当接させた状態で前記光ディスクを前記クランプ部から離脱できるように前記光ディスクの載置される前記トレイの載置面を傾斜させて形成したことを特徴とする。
【０００７】
請求項１の構成によれば、クランプ部に水平に固定されている光ディスクに対し、光ディスクが載置されるトレイの載置面が傾斜して形成されているから、光ディスクが可動部材により弧を描きながら可動されることにより、光ディスクがトレイに押圧されターンテーブルのクランプ部から取り外される際、光ディスクがこの光ディスクの載置されているトレイの載置面に当接した状態を維持しながらクランプ部から取り外されるので、従来の光ディスク装置のように、光ディスクが弧を描きながら可動されてもトレイから光ディスクの一端が浮き上がってトレイと光ディスクとの間に隙間が空いてしまうことなくクランプ部から光ディスクを離脱することができるので、光ディスクの自重によりトレイ上に光ディスクが落下する事で音が発生してしまうことを防止できる。
【０００８】
請求項２に係る光ディスク装置は、請求項１記載の光ディスク装置において、前記クランプ部に水平に固定された光ディスクに対し前記トレイの載置面を０．２°以上〜３°以下に傾斜させて形成したことを特徴とする。
【０００９】
請求項２の構成によれば、水平に固定された光ディスクに対し、トレイの載置面を０．２°以上〜３°以下にしたことにより、請求項１と同様に光ディスクが可動部材により弧を描きながら可動されることにより、トレイに押圧されターンテーブルのクランプ部から取り外される際、光ディスクがこの光ディスクの載置されているトレイの載置面に当接した状態を維持しながらクランプ部から取り外されるので、光ディスクの自重によりトレイ上に光ディスクが落下する事で音が発生してしまうことを防止できる。
【発明の効果】
【００１０】
請求項１の光ディスク装置の発明によれば、光ディスクを水平に載置する当接面の設けられたターンテーブルと、このターンテーブルに載置された光ディスクを固定するクランプ部と、このクランプ部に固定された前記光ディスクを前記ターンテーブルと共に回転させる回転駆動装置と、前記クランプ部に前記光ディスクを着脱する際に前記光ディスクを載置するトレイと、このトレイに載置された前記光ディスクを前記トレイに押圧させクランプ部から離脱する弧を描きながら可動する可動部材とを備えた光ディスク装置において、前記クランプ部から前記光ディスクを離脱する際、前記光ディスクを前記トレイの載置面に当接させた状態で前記光ディスクを前記クランプ部から離脱できるように前記光ディスクの載置される前記トレイの載置面を傾斜させて形成したことにより、離脱音を抑制した光ディスク装置を提供することができる。
【００１１】
請求項２の光ディスク装置の発明によれば、請求項１において、前記クランプ部に水平に固定された光ディスクに対し前記トレイの載置面を０．２°以上〜３°以下に傾斜させて形成したものであり、離脱音を抑えた光ディスク装置を提供することができる。
【発明を実施するための最良の形態】
【００１２】
以下、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００１３】
図１は、本発明に係る電子機器である光ディスク装置の概略構成を示す側面図である。同図に示すように、この光ディスク用装置１には、光ディスク２が取り付けられるターンテーブル３が設けられている。このターンテーブル３を詳述すると、ターンテーブル３にはクランプ部４が一体的に設けられていて、円型の光ディスク２の中央に形成された取付孔５がクランプ部４に着脱自在に係合して取り付けられるものであり、図２の（ａ）に示すように、このクランプ部４に光ディスクが水平に取り付けられた状態で、ターンテーブル３と共に光ディスク２が回転されることにより記録や再生が行われるようになっている。
【００１４】
６はターンテーブル３を回転する回転駆動装置たるモータであり、このモータ６には、回動可能な軸部７が設けられており、この軸部７にターンテーブル３が固着されていてモータ６によりターンテーブル３が回転される。
【００１５】
また、ターンテーブル３は、図２の（ａ）に示すターンテーブル３が上昇した状態から光ディスク装置１の筐体８内に設けられた可動部材９によってモータ６と共にトレイ１０の下方側に可動するようになっている。なお、可動部材９は、その一方の端部側が筐体８にネジ止めされ、そのネジ止めされた部位を支点としてモータ６と共にターンテーブル３をトレイ１０の下方側に弧を描きながら可動（図２の（Ｃ）に示す矢印方向に）するようになっているものであり、いわゆるトラバースユニットに構成される可動部材である。
【００１６】
また、トレイ１０上面の光ディスク２の載置される載置面１０Ａは、図２の（ａ）示すように、クランプ部４に取り付けられ水平に配置されている光ディスク２又は光ディスク２がクランプ部４への固定時に当接されるターンテーブル３に形成された水平の当接面３Ａに対し、その角度θが１°傾斜して形成されており、下方に弧を描きながら可動するターンテーブル３の水平の当接面３Ａ又は水平に配置されている光ディスク２と、トレイ１０の載置面１０Ａとの位置関係は、図２に示すように、光ディスク２がクランプ部４に水平に固定された状態において、垂直方向ではなく下方側の何れかの方向にターンテーブル３が弧を描きながら可動する際、この方向に対応するトレイ１０の傾斜方向は、ターンテーブル３の可動に伴いトレイ１０の載置面１０Ａに光ディスク２の一部位が最初に接触する一方が、その光ディスク２の直径方向の反対側の他方より低くなるようにトレイ１０の載置面１０Ａが傾斜して形成されており、光ディスク２の再生状態である水平に配置されている光ディスク２の位置とトレイ１０上面の光ディスク２の載置される載置面１０Ａとの角度θの範囲は、０．２°≦θ≦３°が好ましく、より好ましく０．５°≦θ≦２°、最も好ましくはθ＝１°の角度にするのが良い。このように配置することにより、クランプ部４から光ディスク２を取り外す際、光ディスク２をトレイ１０の載置面１０Ａに載置させた状態で光ディスク２をクランプ部４から離脱できるので、光ディスク２の自重によりトレイ１０上に光ディスク２が落下する事で音が発生することを回避することができ、例えば、従来のように、ターンテーブルのクランプ部から光ディスクが離脱される時、光ディスク周縁の一端のみがトレイに接触され、その直径方向のもう一方の他端がトレイの載置面から浮き上がって隙間が空いてしまった状態で、光ディスクがこの光ディスクの自重によりトレイの載置面に落下され、光ディスクの他端のトレイへの落下時の反動により、光ディスクが暴れることを防止できるので、これに伴う音の発生を防止できる。
【００１７】
また、前記角度θは、次にあらわす数式１により求めることもできる。すなわち、光ディスク２がクランプ部４に水平に固定されていると共に、トレイ１０の下面が水平に形成されている場合において、このトレイ１０に光ディスク２を載置した状態で非接触型の測定器を用い、図３〜図６に示すように、光ディスク２の直径方向の両端側の上部表面の測定ポイントＨ，Ｉを、図３に示すように、周囲を一辺が略２ｍｍの正方形型で囲んだ範囲内として、トレイ１０の下面を基準面Ｄとすると、この基準面Ｄから光ディスク２のトレイ１０の載置面１０Ａまでの高さＥ，Ｆ、及び測定ポイントＨ，Ｉ間の距離Ｇを測定し、これらの測定値Ｅ，Ｆ，Ｇから角度θを以下に示す数式１により求めることができる。
【００１８】
【数１】
2006040425.tif 000003
【００１９】
以上のように上記構成によれば、光ディスク装置１は、光ディスク２を水平に載置する当接面の設けられたターンテーブル３と、このターンテーブル３に載置された光ディスク２を固定するクランプ部４と、このクランプ部４に固定された光ディスク２をターンテーブル３と共に回転させる回転駆動装置たるモータ６と、クランプ部４に光ディスク２を着脱する際に光ディスク２を載置するトレイ１０と、このトレイ１０に載置された光ディスク２をトレイ１０に押圧させクランプ部４から離脱する弧を描きながら下方に可動する可動部材９とを備えた光ディスク装置１であって、クランプ部４から光ディスク２を離脱する際、光ディスク２をトレイ１０の載置面１０Ａに当接させた状態で光ディスク２をクランプ部４から離脱できるように光ディスク２の載置されるトレイ１０の載置面１０Ａを傾斜させて形成したものであり、特に、クランプ部４に水平に固定された光ディスク２に対し、トレイ１０の載置面１０Ａを０．２°以上〜３°以下に傾斜させて形成したものである。これらにより、クランプ部４に水平に固定されている光ディスク２に対し、光ディスク２が載置されるトレイ１０の載置面１０Ａが傾斜して形成されているから、光ディスク２が可動部材９により弧を描きながら下方に可動されることにより、この光ディスク２がトレイ１０に押圧されターンテーブル３のクランプ部４から離脱される際、光ディスク２が、この光ディスク２の載置されているトレイ１０の載置面１０Ａに載置され当接された状態を維持しながらクランプ部４から取り外されるので、従来の光ディスク装置のように、光ディスクが弧を描きながら可動されてもトレイから光ディスクの一端などが浮き上がってトレイと光ディスクとの間に隙間が空いてしまうことなくクランプ部から光ディスクを離脱することができるので、光ディスク２の自重によりトレイ１０上に光ディスク２が落下する事で音が発生してしまうことを防止した光ディスク装置１を提供することができる。
【図面の簡単な説明】
【００２０】
【図１】本実施例に係る光ディスク装置の概略構成を示す断面図である。
【図２】同上、光ディスク装置の動作を示す断面図である。
【図３】同上、光ディスクを示す平面図である。
【図４】同上、光ディスクの測定ポイントを示す平面図である。
【図５】同上、トレイを示す断面図である。
【図６】同上、光ディスクの測定ポイントを示す断面図である。
【図７】同上、従来から用いられている光ディスク装置の動作を示す断面図である。
【符号の説明】
【００２１】
１  光ディスク装置
２  光ディスク
３  ターンテーブル
３Ａ  当接面
４  クランプ部
６  モータ（回転駆動装置）
９  可動部材
１０  トレイ
１０Ａ  載置面
【図１】
2006040425.tif 000004
【図２】
2006040425.tif 000005
【図３】
2006040425.tif 000006
【図４】
2006040425.tif 000007
【図５】
2006040425.tif 000008
【図６】
2006040425.tif 000009
【図７】
2006040425.tif 000010